【事件の表示】
　特願２００８−３２３３６６「表示装置および表示装置の制御方法」拒絶査定不服審判事件〔平成２２年７月１日出願公開，特開２０１０−１４５７７３〕について，次のとおり審決する。
【結　論】
　本件審判の請求は，成り立たない。
【理　由】
第１　手続の経緯
平成２０年１２月１９日：特許出願
平成２３年１０月２６日：手続補正書
平成２５年　３月　７日：拒絶理由通知（同年同月１２日発送）
平成２５年　５月１３日：意見書
平成２５年　５月１３日：手続補正書
平成２５年　５月２７日：拒絶査定（同年６月４日送達）
平成２５年　９月　４日：手続補正書（以下「本件補正」という。）
平成２５年　９月　４日：審判請求
平成２５年１１月　１日：前置報告
　
第２　補正却下の決定
［結論］
　本件補正を却下する。
　
［理由］
　１　補正の内容
　(1) 本件補正前の特許請求の範囲
　本件補正前の特許請求の範囲の請求項１の記載は，以下のとおりである。
「　映像信号により光を変調する光変調部と，
　前記光変調部に光を供給する光源と，
　前記光源の光量を検出する検出部と，
　前記検出部で検出した光量から，前記変調された光が予め設定された色温度および輝度になるよう前記映像信号を補正するとともに前記光源の輝度を制御する制御を行う制御部と
　を有し，
　前記光源の光量の検出と，前記映像信号を補正する制御と前記光源の輝度を制御する制御とは繰り返し行われる表示装置。」
　
　(2) 本件補正後の特許請求の範囲
　本件補正後の特許請求の範囲の請求項１に記載は，以下のとおりである。
下線
「　映像信号により光を変調する光変調部と，
　前記光変調部に光を供給する光源と，
　前記光源の光量を検出する検出部と，
　前記検出部で検出した光量から，前記変調された光が予め設定された色温度および輝度になるよう前記映像信号を補正するとともに前記光源の輝度を制御する制御を行う制御部と
　を有し，
　前記光源の光量の検出と，前記映像信号を補正する制御と前記光源の輝度を制御する制御とは
，前記変調された光が前記予め設定された色温度および輝度になるように
　
　(3) 本件補正の目的
　本件補正は，本件補正前の請求項１に係る発明（以下「本願発明」という。）を特定するために必要な事項である，「前記光源の光量の検出と，前記映像信号を補正する制御と前記光源の輝度を制御する制御とは繰り返し行われる」を，「前記光源の光量の検出と，前記映像信号を補正する制御と前記光源の輝度を制御する制御とは，前記変調された光が前記予め設定された色温度および輝度になるように繰り返し行われる」に補正するものであるから，繰り返し行われる制御の目標について限定する補正である。
　そうしてみると，本件補正は，特許法１７条の２第５項２号に掲げる特許請求の範囲の減縮を目的とする補正に該当する。
　そこで，本件補正後の特許請求の範囲の請求項１に係る発明（以下「本件補正後発明」という。）が特許出願の際に独立して特許を受けることができるものであるかについて，以下に検討する。
　
　２　独立特許要件
　(1) 引用例に記載の事項
　本件出願の出願前に頒布された刊行物である特開２００８−１１６８５０号公報（発明の名称：「液晶表示装置及び液晶表示装置制御方法」，出願人：「ＮＥＣディスプレイソリューションズ株式会社」，公開日：平成２０年５月２２日，以下「引用例」という。）には，図面とともに，以下の事項が記載されている。
　ア　「【請求項１】
　液晶パネルと該液晶パネルの背面に設けられたバックライトとを備える液晶表示装置であって，
　前記バックライトのＲＧＢ出力光レベルを検出する検出手段と，
　前記検出手段により検出されたＲＧＢ出力光レベルに基づいて，所定の輝度になるように，前記バックライトを駆動するためのバックライト電流を制御する第１の制御手段と，
　前記検出手段により検出されたＲＧＢ出力光レベルに基づいて，所定の色度になるように前記液晶パネルに供給される表示信号を制御する第２の制御手段と
　を具備することを特徴とする液晶表示装置。
【請求項２】
　前記検出手段により検出されたＲＧＢ出力光レベルを３刺激値に変換する第１の変換手段と，
　前記３刺激値を輝度値及び色度値に変換する第２の変換手段とを具備し，
　前記第１の制御手段は，前記第２の変換手段により変換された前記輝度値に基づいて，前記バックライトを駆動するためのバックライト電流を制御し，
　前記第２の制御手段は，前記第２の変換手段により変換された前記色度値に基づいて，前記液晶パネルに供給される表示信号を制御することを特徴とする請求項１記載の液晶表示装置。」
　
　イ　「【０００１】
　本発明は，バックライトを有する液晶表示装置に係り，輝度と色を制御可能とする液晶表示装置及び液晶表示装置制御方法に関する。」
　
　ウ　「【発明が解決しようとする課題】
【０００５】
　ところで，バックライトにＣＣＦＬ（冷陰極管）を用いた液晶表示装置は，時間が経つに従い，青の蛍光体の発光効率の劣化が赤と緑の蛍光体に比べ早いことが知られている。つまり，液晶表示装置の白色ポイントは，時間が経つに従って黄色味がかかってくる。液晶表示装置の使用分野では，過去の診断映像と現在の診断写真とを比べる医用分野や，実際の色とディスプレイの色との一致が求められるグラフィックデザイン分野においては，特に，色の経時変化が問題になることが多い。
【０００６】
　上述した従来技術（特許文献１）では，バックライトの光の強さを輝度センサで検出し，バックライトの電流を制御することにより，バックライトの明るさを一定にしていた。これは，輝度のみの制御であって，色度まで合わせることができないという問題があった。
【０００７】
　また，上述した従来技術（特許文献２）では，バックライトから供給される照明光の色度を測定する色センサから出力される色度情報に基づき，異なる表示信号を液晶パネルに供給していた。しかしながら，該従来技術では，色差ΔＥａ＊ｂ＊を求め，ルックアップテーブルにより制御する方法であり，信号の階調特性を損なわずに色度と輝度を同時に制御することができないという問題があった。
【０００８】
　本発明は，このような事情を考慮してなされたものであり，その目的は，変化のない安定した輝度と色度を実現することができる液晶表示装置及び液晶表示装置制御方法を提供することにある。」
　
　エ　「【発明の効果】
【００１５】
　この発明によれば，検出手段により，バックライトのＲＧＢ出力光レベルを検出し，第１の制御手段により，ＲＧＢ出力光レベルに基づいて，所定の輝度になるように，バックライトを駆動するためのバックライト電流を制御し，第２の制御手段により，ＲＧＢ出力光レベルに基づいて，所定の色度になるように液晶パネルに供給される表示信号を制御する。したがって，変化のない安定した輝度と色度を実現することができる。なお，測定する場所は背面の反射板から漏れる光を測定しても，導光板で導かれた光を測定してもよい。
【００１６】
　また，本発明によれば，第１の変換手段により，検出されたＲＧＢ出力光レベルを３刺激値に変換し，第２の変換手段により，該３刺激値を輝度値及び色度値に変換し，該輝度値に基づいてバックライトを駆動するためのバックライト電流を制御し，該色度値に基づいて液晶パネルに供給される表示信号を制御する。したがって，バックライトのＲＧＢ出力光レベルから正確な３刺激値を得ることができ，より変化のない安定した輝度と色度を実現することができる。
【００１７】
　また，本発明によれば，第１の制御手段により，第２の変換手段により変換された輝度値と所定の期待値とが一致するように，バックライト電流を制御する。したがって，工場出荷前の段階において，予め定められた所望する輝度を得ることができる。
【００１８】
　また，この発明によれば，第２の制御手段により，第２の変換手段により変換された色度値と所定の期待値または初期値とが一致するように，液晶パネルに供給される表示信号を制御する。したがって，工場出荷前の段階において，予め定められた所望する色度を得ることができる。
【００１９】
　また，この発明によれば，第２の制御手段によって液晶パネルに供給される表示信号を制御する際に生じる液晶パネルの輝度変化を防ぐために，補正手段により，第１の制御手段による，バックライトを駆動するためのバックライト電流を制御する際に，所定の期待値を補正する。したがって，色度制御のために生じる液晶パネルの輝度変化を防ぐことができる。」
　
　オ　「【発明を実施するための最良の形態】
【００２０】
　以下，本発明の一実施形態による液晶表示装置を，図面を参照して説明する。
【図１】
【００２１】
　図１は，本発明の実施形態による液晶表示装置の構成を示すブロック図である。図１において，１は，液晶パネルであり，ＲＧＢにわかれたカラーフィルタを有し，ＲＧＢに相当する信号レベルを制御することにより，ＲＧＢそれぞれの階調を表示する。２は，バックライトシステム（以下，単にバックライトという）であり，液晶パネル１の階調を輝度に変換する。バックライト２は，複数の冷陰極管（ＣＣＦＬ）３と，その電流を制御するインバータ回路４とを備えており，複数の冷陰極管３の電流を制御することにより，液晶パネル１の輝度を増減する。
【００２２】
　センサ５，６，７は，バックライト２から漏れる，または導いて取り出された光（Ｒ，Ｇ，Ｂ）を検出し，それぞれの光量に応じた電流に変換し，電流電圧変換部８に供給する。電流電圧変換部８は，センサ５，６，７からの電流を電圧に変換し，ＣＰＵ１０に供給する。ＣＰＵ１０は，Ａ／Ｄ変換器９を有し，上記電流電圧変換部８からの電圧をデジタルデータ（以下，ＲＧＢデータ）に変換する。
【００２３】
　また，ＣＰＵ１０は，Ａ／Ｄ変換器９によって変換されたＲＧＢデータ，すなわち，バックライト２から漏れる，または導いて取り出された光（Ｒ，Ｇ，Ｂ）の光量に応じたＲＧＢデータに対して所定の演算を行った後，該演算結果に従って，バックライトの電流を制御するとともに，液晶パネルの信号レベルを制御するための制御信号Ｓ１，Ｓ２を生成し，それぞれインバータ回路４，信号処理部１１に供給する。インバータ回路４は，上記制御信号Ｓ１に従って，バックライト２の電流を制御する。信号処理部１１は，上記制御信号Ｓ２に従って，液晶パネル１の信号レベルを制御する。
【００２４】
　上述した構成によれば，バックライト２から漏れる，または導いて取り出された光は，ＲＧＢの３つのセンサ５，６，７で電流に変換された後，電流電圧変換部８で電圧に変換され，Ａ/Ｄ変換器９でＲＧＢデータに変換される。ＣＰＵ１０では，デジタル化されたＲＧＢデータに対して所定の演算が行われ，バックライト２の電流を制御するとともに，液晶パネル１の信号レベルを制御するための制御信号Ｓ１，Ｓ２が生成される。なお，制御信号Ｓ１は，センサ５，６，７により検出されたバックライト２の輝度に基づく制御信号である。また，制御信号Ｓ２は，センサ５，６，７により検出されたバックライト２の色温度に基づく制御信号である。インバータ回路４では，上記制御信号Ｓ１に従って，バックライト２の電流が制御される。信号処理部１１では，上記制御信号Ｓ２に従って，液晶パネル１の信号レベルが制御される。」
　
　カ　「【００３６】上述したように，バックライト２の３波長光出力をＲＧＢの各センサ５，６，７で検出したセンサ値Ｒｓ，Ｇｓ，Ｂｓと液晶表面の３刺激値Ｘ，Ｙ，Ｚとが相関付けられる。この３刺激値Ｘ，Ｙ，Ｚからは，さらに，次式（７），（８），（９）に従って輝度値Ｌｖと色度値ｘ，ｙとを求めることができる。
【００３７】
【数７】
【００３８】
【数８】
【００３９】
【数９】
」
　
　キ　「【００４０】
　前述したように，センサ値Ｒｓ，Ｇｓ，Ｂｓが分かれば，液晶表面の３刺激値Ｘ，Ｙ，Ｚは，ある輝度範囲で求まる。よって，バックライト電流を制御することにより輝度値Ｌｖを期待値Ｌｖ’になるように制御することができる。すなわち，図４に示すようなループを構成することになる。」
【図４】
　
　ク　「【００４１】
　色度については，バックライト２の色温度を変化させることは難しいので，信号処理部１１において，ＣＰＵ１０からの制御信号Ｓ２（すなわち，センサ５，６，７により検出されたバックライト２の色温度に関する情報に基づく制御信号）に従って，液晶パネル１に供給する表示信号のレベルを変化させることにより，液晶パネル１の色度を一定にする。」
　
　ケ　「【００５４】
　液晶パネル１に供給する表示信号のレベルは，８ｂｉｔ分解能のとき，通常，最大２５５の値をとる。上述したように，表示信号レベルを変えることによって色度を合わせたとき，輝度Ｌｖが下がってしまう。そこで，予めＲＧＢそれぞれの表示信号レベルを変えたときの輝度変化を測定しておき，色度を合わせたとき，どれだけ輝度が落ちるかを算出する。その例を上記（１）〜（４）の中にΔＹで表している。該ΔＹを期待値Ｌｖ’に加えることにより輝度を一定にする。
【００５５】液晶パネル１に供給する表示信号のＲＧＢレベルを変えることにより生じる輝度の低下を期待値Ｌｖ’に加えることにより輝度値Ｌｖを一定にする方法にはいろいろな応用が考えられる。
【００５６】一例として，液晶パネル１の画面色温度を変更するのにＲＧＢのレベルを変える方法がある。例えば，ＲＧＢとも最大レベル（８ｂｉｔの場合Ｒ＝２５５，Ｇ＝２５５，Ｂ＝２５５）が６５００Ｋ（ケルビン）の液晶パネルの場合，９３００Ｋに設定するには，Ｒ＝１８０，Ｇ＝１９７，Ｂ＝２５５となり，輝度が３３％に低下してしまう。そこで，この低下分を期待値Ｌｖ’に加えることにより，輝度を変えることなく，色温度を変更することが可能となる。」
　
　コ　「【００５９】
　上述した実施形態によれば，液晶表示装置において，バックライト２の光出力をＲＧＢの各センサ５，６，７で検出し，その値から輝度値Ｌｖと色温度ｘ，ｙとを求め，輝度の期待値Ｌｖ’と工場出荷時の色差ｘ，ｙになるように，バックライト２への電流と液晶パネル１への表示信号のレベルとを制御することにより，変化のない安定した輝度と色度を実現することができる。」
　
　(2) 引用発明
　引用例の請求項１及び２に対応する実施態様として，引用例には，以下の発明が記載されている（以下「引用発明」という。）。
「　ＲＧＢにわかれたカラーフィルタを有し，ＲＧＢに相当する信号レベルを制御することにより，ＲＧＢそれぞれの階調を表示する液晶パネル１と，
　複数の冷陰極管（ＣＣＦＬ）３と，その電流を制御するインバータ回路４とを備えており，複数の冷陰極管３の電流を制御することにより，液晶パネル１の輝度を増減するバックライト２と，
　バックライト２から漏れる，または導いて取り出された光（Ｒ，Ｇ，Ｂ）を検出するセンサ５，６，７と，
　バックライト２から漏れる，または導いて取り出された光（Ｒ，Ｇ，Ｂ）の光量に応じたＲＧＢデータに対して所定の演算を行った後，該演算結果に従って，バックライトの電流を制御するとともに，液晶パネルの信号レベルを制御するための制御信号Ｓ１，Ｓ２を生成するＣＰＵ１０と，上記制御信号Ｓ１に従って，バックライト２の電流を制御するインバータ回路４と，上記制御信号Ｓ２に従って，液晶パネル１の信号レベルを制御する信号処理部１１と
　を有し，
　バックライト２の光出力をＲＧＢの各センサ５，６，７で検出し，その値から輝度値Ｌｖと色温度ｘ，ｙとを求め，輝度の期待値Ｌｖ’と工場出荷時の色差ｘ，ｙになるように，バックライト２への電流と液晶パネル１への表示信号のレベルとを制御することにより，変化のない安定した輝度と色度を実現することができる，液晶表示装置。」
　
　(3) 対比
　ア　光変調部
　引用発明は，「ＲＧＢにわかれたカラーフィルタを有し，ＲＧＢに相当する信号レベルを制御することにより，ＲＧＢそれぞれの階調を表示する液晶パネル１」の構成を具備する。
　したがって，引用発明の「液晶パネル１」は，本件補正後発明の「映像信号により光を変調する光変調部」に相当する。
　
　イ　光源
　引用発明は，「複数の冷陰極管（ＣＣＦＬ）３と，その電流を制御するインバータ回路４とを備えており，複数の冷陰極管３の電流を制御することにより，液晶パネル１の輝度を増減するバックライト２」の構成を具備する。
　したがって，引用発明の「バックライト２」は，本件補正後発明の「前記光変調部に光を供給する光源」に相当する。
　
　ウ　検出部
　引用発明は，「バックライト２から漏れる，または導いて取り出された光（Ｒ，Ｇ，Ｂ）を検出するセンサ５，６，７」の構成を具備する。
　したがって，引用発明の「センサ５，６，７」は，本件補正後発明の「前記光源の光量を検出する検出部」に相当する。
　
　エ　制御部
　引用発明は，「バックライト２から漏れる，または導いて取り出された光（Ｒ，Ｇ，Ｂ）の光量に応じたＲＧＢデータに対して所定の演算を行った後，該演算結果に従って，バックライトの電流を制御するとともに，液晶パネルの信号レベルを制御するための制御信号Ｓ１，Ｓ２を生成するＣＰＵ１０」，「上記制御信号Ｓ１に従って，バックライト２の電流を制御するインバータ回路４」及び「上記制御信号Ｓ２に従って，液晶パネル１の信号レベルを制御する信号処理部１１」の構成を具備し，「バックライト２の光出力をＲＧＢの各センサ５，６，７で検出し，その値から輝度値Ｌｖと色温度ｘ，ｙとを求め，輝度の期待値Ｌｖ’と工場出荷時の色差ｘ，ｙになるように，バックライト２への電流と液晶パネル１への表示信号のレベルとを制御することにより，変化のない安定した輝度と色度を実現することができる」。
　したがって，引用発明の「ＣＰＵ１０」，「インバータ回路４」及び「信号処理部１１」を併せたものは，本件補正後発明の「前記検出部で検出した光量から，前記変調された光が予め設定された色温度および輝度になるよう前記映像信号を補正するとともに前記光源の輝度を制御する制御を行う制御部」に相当する。
　
　オ　表示装置
　以上の対比結果，引用発明及び本件補正後発明の全体構成からみて，引用発明の「液晶表示装置」は，本件補正後発明の「表示装置」に相当する。
　
　(4) 一致点及び（一応の）相違点
　対比結果を踏まえると，本件補正後発明と引用発明の一致点及び（一応の）相違点は，以下のとおりである。
　
（一致点）
　映像信号により光を変調する光変調部と，
　前記光変調部に光を供給する光源と，
　前記光源の光量を検出する検出部と，
　前記検出部で検出した光量から，前記変調された光が予め設定された色温度および輝度になるよう前記映像信号を補正するとともに前記光源の輝度を制御する制御を行う制御部と
　を有する表示装置。
　
（一応の相違点）
　本件補正後発明において，「前記光源の光量の検出と，前記映像信号を補正する制御と前記光源の輝度を制御する制御とは，前記変調された光が前記予め設定された色温度および輝度になるように繰り返し行われる」のに対して，引用発明は，これが明らかではない点。
　
　(5) 判断
　(a) 引用例の段落【００４０】の記載及び【図４】から見て，引用発明において，少なくとも，「センサ値Ｌｖ＝Ｙと期待値Ｌｖ’との比較」と「バックライト制御」は，繰り返し行われるものである。また，(b) 引用例の段落【０００６】には，「従来技術（特許文献１）では・・・輝度のみの制御であって，色度まで合わせることができないという問題があった。」と記載され，(c) 段落【０００７】には，「従来技術（特許文献２）では・・・信号の階調特性を損なわずに色度と輝度を同時に制御することができないという問題があった。」と記載され，そして，(d) 段落【０００８】には，「本発明は，このような事情を考慮してなされたものであり，その目的は，変化のない安定した輝度と色度を実現することができる液晶表示装置及び液晶表示装置制御方法を提供することにある。」と記載されている。
　以上(a)ないし(d)からみて，引用発明は，色度と輝度の双方を同時に制御することを課題解決とする発明であって，引用発明は，色度の制御を行わずに輝度の制御のみを行うような発明ではないといえる。この点は，(e) 引用例の図１が，輝度制御及び色度制御の双方についてフィードバック制御されるようなブロック図として描かれていること，(f) 引用発明のＣＰＵ１は，制御信号Ｓ１，Ｓ２を生成するものであり，引用例には，Ｓ１のみを生成しても良い旨の記載が見当たらないばかりか，(g) 数式（７）ないし（９）にしたがって輝度値Ｌｖと色度値ｘ，ｙを求める旨の記載があること（段落【００３６】ないし【００３９】）からも裏付けられる。
　したがって，繰り返し行われる制御について，引用例の段落【００４０】には輝度についてしか明示的言及がないとしても，引用例全体の記載を考慮すると，引用発明は，「前記光源の光量の検出と，前記映像信号を補正する制御と前記光源の輝度を制御する制御とは，前記変調された光が前記予め設定された色温度および輝度になるように繰り返し行われる」ものである。
　
　(6) 小括
　本件補正後発明は，引用例に記載された発明であるから，特許法２９条１項３号に該当し，特許出願の際に独立して特許を受けることができない。
　
　３　補正却下についてのまとめ
　したがって，本件補正は，特許法１７条の２第６項において準用する同法１２６条７項の規定に違反するので，同法１５９条１項の規定において読み替えて準用する同法５３条１項の規定により却下すべきものである。
　
第３　本願発明について
　１　本願発明
　本件補正は上記のとおり却下されたので，本件出願の請求項１に係る発明（本願発明）は，明細書，特許請求の範囲及び図面の記載からみて，前記「第２」１(1)に記載されたとおりのものである。
　
　２　原査定の拒絶の理由
　原査定の拒絶の理由は，概略，この出願の請求項１に係る発明は，その出願前に日本国内において頒布された引用例に記載された発明であるから，特許法２９条１項３号に該当し，特許を受けることができない，というものである。
　
　３　引用例に記載の事項及び引用発明
　引用例に記載の事項及び引用発明は，前記「第２」２(1)及び(2)に記載したとおりである。
　
　４　対比及び判断
　本願発明は，本件補正後発明を特定するために必要な事項である「前記光源の光量の検出と，前記映像信号を補正する制御と前記光源の輝度を制御する制御とは，前記変調された光が前記予め設定された色温度および輝度になるように繰り返し行われる」の構成において，「前記変調された光が前記予め設定された色温度および輝度になるように」との発明特定事項を省いたものである。
　そうしてみると，本願発明の構成を全て具備し，さらに，他の発明特定事項を付加したものに相当する本件補正後発明が，前記「第２」２(3)ないし(6)で述べたとおり，引用例に記載された発明であることを考慮すると，本願発明も同様に，引用例に記載された発明である。
　
第４　　まとめ
　以上のとおり，本件出願の特許請求の範囲の請求項１に記載された発明は，その出願前に日本国内において頒布された引用例に記載された発明であるから，特許法２９条１項３号に該当し，特許を受けることができない。
　したがって，他の請求項に係る発明について審理するまでもなく，本願は拒絶すべきものである。
　よって，結論のとおり審決する。